Podtech/llm-jp-corpus-v4-ja_patent huggingface dataset:
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
超音波検査者にナビゲーションガイダンスを提供するシステムにおいて、
超音波を送信し、エコー信号を受信する超音波プローブと、
前記超音波プローブにより受信された前記エコー信号に対応する前記超音波プローブからの信号を受信し、画像を生成する取得システムと、
前記取得システムから前記画像を受信する表示システムであって、
前記画像を分析し、前記表示システムの追跡プロセッサにデータを送信する解剖学的分析モデル、
少なくとも部分的に前記解剖学的分析モデルから受信されたデータに基づいて画像を取得するための前記超音波プローブの移動を計算する前記追跡プロセッサ、及び
前記追跡プロセッサにより計算された前記移動をナビゲーション命令に変換するナビゲーション命令生成器、
を有する前記表示システムと、
前記超音波プローブに付属した触覚装置であって、前記触覚装置が、複数の触覚フィードバック装置を有し、前記触覚装置が、少なくとも部分的に前記ナビゲーション命令生成器から受信された前記ナビゲーション命令に基づいて前記触覚フィードバック装置のうち１以上の触覚フィードバック装置を動作し、前記１以上の触覚フィードバック装置が、前記超音波検査者に触覚ナビゲーション命令を提供し、前記ナビゲーション命令が、前記触覚フィードバック装置のうち１以上の触覚フィードバック装置における振動及び／又は前記触覚フィードバックのうち１以上の触覚フィードバック装置における異なる振動強度を引き起こすように変換される、前記触覚装置と、
を有する、システム。
【請求項２】
前記触覚装置が、前記触覚装置の内面にわたって分布する複数の触覚フィードバック装置を有する、請求項１に記載のシステム。
【請求項３】
前記触覚装置が、ナビゲーション命令セットによって前記複数の触覚フィードバック装置を動作し、同時に動作される触覚フィードバック装置の組み合わせが、ナビゲーション命令に対応する、請求項２に記載のシステム。
【請求項４】
前記触覚フィードバック装置が、複数のレベルの振動強度を提供するモータである、請求項１に記載のシステム。
【請求項５】
前記触覚装置が、モータを有し、前記触覚装置が、前記モータにシーケンスでパルスを与える、請求項１に記載のシステム。
【請求項６】
前記触覚装置が、前記超音波プローブ内に統合される、請求項１に記載のシステム。
【請求項７】
前記システムが、ナビゲーションガイダンスを提供するように断続的に動作する、請求項１に記載のシステム。
【請求項８】
前記システムが、前記画像を表示するディスプレイを有し、前記ディスプレイは、十分な画像が取得された場合にメッセージを表示する、請求項１に記載のシステム。
【請求項９】
前記触覚装置が、力センサを有し、前記追跡プロセッサが、前記力センサからデータを受信し、少なくとも部分的に前記力センサから受信されたデータに基づいて画像を取得するための前記超音波プローブの移動を計算する、請求項１に記載のシステム。
【請求項１０】
前記追跡プロセッサが、生理学的データを受信し、少なくとも部分的に前記生理学的データに基づいて画像を取得するための前記超音波プローブの移動を計算することができる、請求項１に記載のシステム。
【請求項１１】
超音波検査者にナビゲーションガイダンスを提供する方法において、
解剖学的分析モデルを用いて、超音波プローブにより取得された画像を分析するステップと、
少なくとも部分的に前記画像の前記分析に基づいて前記超音波プローブの移動を計算するステップと、
前記超音波プローブに取り付けられ、複数の触覚フィードバック装置を有する触覚装置に命令を送信するステップと、
前記超音波プローブをナビゲートするように前記超音波プローブにより触覚フィードバックを提供するステップであって、前記超音波検査者に触覚フィードバックを提供するように前記触覚フィードバック装置のうち１以上の触覚フィードバック装置を作動することを含み、前記触覚フィードバック装置は、作動された場合に振動を提供する、前記提供するステップと、
を有する方法。
【請求項１２】
前記画像の十分性を決定するように前記解剖学的分析モデルを用いて前記超音波プローブにより取得された第２の画像を分析するステップと、十分な画像が取得された場合に前記超音波検査者に信号を提供するステップとを有する、請求項１１に記載の方法。
【請求項１３】
前記信号が、ディスプレイ上に提供される視覚的信号である、請求項１１に記載の方法。
【請求項１４】
前記触覚フィードバック装置が、作動される場合に異なる強度の振動を提供する、請求項１１に記載の方法。
【請求項１５】
前記触覚フィードバック装置が、ナビゲーション命令セットに基づいて作動される、請求項１１に記載の方法。
【請求項１６】
１以上のプロセッサにより実行されるべき、超音波画像を取得する際のナビゲーションガイダンスに対する命令を記憶した非一時的コンピュータ可読媒体において、前記命令が、実行される場合に、前記１以上のプロセッサに、
超音波プローブから超音波を放出させ、
前記超音波プローブにより受信されたエコー信号から画像を生成させ、
前記画像が十分であるかどうかを決定するように解剖学的分析モデルを使用して前記画像を分析させ、
十分な画像を得るのに要求される前記超音波プローブの移動を計算させ、
前記ナビゲーション命令を前記超音波プローブに含まれる触覚装置の１以上の触覚フィードバック装置に送信される振動パルスのシーケンスに変換することを含めて前記要求される移動に基づいてナビゲーション命令を生成させ、
超音波検査者にガイダンスを提供するように前記触覚装置に前記ナビゲーション命令を送信させる、
非一時的コンピュータ可読媒体。
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
髭剃り用剃刀であって、
刃カートリッジの片われ相互連結部材と着脱自在に係合するための相互連結部材を画定する、一体射出成型されたベース部材と、
前記ベース部材に結合された、弾力のある補強材であって、前記弾力のある補強材は、前記ベース部材の前記相互連結部材の構造的安定性を増加させる、弾力のある補強材と、
を備える、髭剃り用剃刀。
【請求項２】
請求項１に記載の髭剃り用剃刀であって、
前記弾力のある補強材は、ベース部材の上にあるエラストマ補強材である、髭剃り用剃刀。
【請求項３】
請求項２に記載の髭剃り用剃刀であって、
前記ベース部材は空隙を画定し、この髭剃り用剃刀は、
前記空隙の中に配置され、且つエラストマ補強材によって空隙の中に保持される質量増加部材、
を更に備える、髭剃り用剃刀。
【請求項４】
請求項２に記載の髭剃り用剃刀であって、
前記ベース部材は、前記エラストマ補強材によって係合される複数の隙間を画定する、髭剃り用剃刀。
【請求項５】
請求項１に記載の髭剃り用剃刀であって、
前記相互連結部材は、
前記ベース部材の一部分として一体ヒンジと共に形成されたタインであって、前記一体ヒンジは、使用の際、係合される位置に前記タインを弾性的に偏らせる、タインを備える、髭剃り用剃刀。
【請求項６】
請求項５に記載の髭剃り用剃刀であって、
少なくとも１つの剃刀の刃と、前記タインを受容するように整列した少なくとも１つのへこみを画定する連結部材と、を含む取り替え可能なカートリッジを更に備える、髭剃り用剃刀。
【請求項７】
請求項１に記載の髭剃り用剃刀であって、
前記ベース部材は、ガラス含浸ナイロンで形成される、髭剃り用剃刀。
【請求項８】
請求項７に記載の髭剃り用剃刀であって、
前記ガラスは、混合重量で１０％から３０％の範囲にある、髭剃り用剃刀。
【請求項９】
請求項２に記載の髭剃り用剃刀であって、
前記エラストマ補強材は、熱可塑性エラストマで形成される、髭剃り用剃刀。
【請求項１０】
請求項２に記載の髭剃り用剃刀であって、
前記エラストマは、硬化された場合、前記熱可塑性部材に接合する、髭剃り用剃刀。
【請求項１１】
請求項１に記載の髭剃り用剃刀であって、
前記ベース部材は、剃刀カートリッジの雄の部材を受容するための、雌の挿入空間を画定する、髭剃り用剃刀。
【請求項１２】
髭剃り用剃刀のためのハンドルを製造する方法であって、
ベース部材を射出成型するステップであって、前記ベース部材は、少なくとも１つの空隙を画定し、且つ一体ヒンジ及び相互連結部材と共に一体で形成されたハンドル部分を有し、前記相互連結部材は、刃カートリッジの片われ相互連結部材と着脱自在に係合する、ステップと、
エラストマ補強層で前記ベース層を補強するステップと、
を備える、方法。
【請求項１３】
請求項１２に記載の方法であって、
前記ベース部材におもりを付加するステップを更に備える、方法。
【請求項１４】
請求項１３に記載の方法であって、
前記おもりを付加するステップは、
被覆する前に、前記空隙の中に質量増加部材を挿入することを備える、方法。
【請求項１５】
請求項１２に記載の方法であって、
前記補強するステップは、
エラストマ樹脂で前記ベース部材を覆うように成型することと、
前記樹脂を硬化させることと、
を備える、方法。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
酸素に富んだガスの流れを生成する酸素分離器であって、
酸素を含むガスから酸素を分離するように構成される、少なくとも２つの酸素分離装置であって、各酸素分離装置が、前記酸素を含むガスを受け取る第１の端と、酸素に富んだガスを給送する第２の端とを含む、少なくとも２つの酸素分離装置と、
該少なくとも２つの酸素分離装置の前記第２の端の各々に流体的に連結され、前記少なくとも２つの酸素分離装置の内圧を平衡させるように構成される、等化ダクトと、
該等化ダクト内に設けられる第１のガスセンサであって、該等化ダクト内の前記酸素に富んだガスの少なくとも１つの成分の濃度を監視するように構成される第1のガスセンサと、
前記第１のガスセンサによる前記監視に基づいて当該酸素分離器を制御するように構成される制御装置とを含む、
酸素分離器。
【請求項２】
前記第１のガスセンサは、酸素と窒素との間を区別し得る、請求項１に記載の酸素分離器。
【請求項３】
前記制御装置は、前記酸素に富んだガスの濃度及び／又は組成に対する影響を有する少なくとも１つのパラメータを制御し、該少なくとも１つのパラメータは、分離期間、流量、圧力、又は使用中の前記少なくとも２つの分離装置の１つの選択、のうちの１つ又はそれよりも多くを含む、請求項１に記載の酸素分離器。
【請求項４】
前記少なくとも２つの酸素分離装置は、排気ダクトに流体的に連結され、
該排気ダクトは、排気ガスを前記少なくとも２つの酸素分離装置から当該酸素分離器の外に案内するために、前記少なくとも２つの酸素分離装置の各々に流体的に連結される、
請求項１に記載の酸素分離器。
【請求項５】
前記排気ガスの少なくとも１つの成分を監視するように構成される第２のガスセンサを更に含む、請求項４に記載の酸素分離器。
【請求項６】
前記第２のガスセンサは、前記排気ガスの少なくとも１つの成分の濃度を監視するように構成される、請求項５に記載の酸素分離器。
【請求項７】
前記制御装置は、前記第１のガスセンサによる並びに前記第２のガスセンサによる前記監視に基づき当該酸素分離器を制御するように構成される、請求項５に記載の酸素分離器。
【請求項８】
前記等化ダクトを通じる酸素に富んだガスの等化流量を制御するように構成される少なくとも１つの等化流量コントローラを更に含む、請求項１に記載の酸素分離器。
【請求項９】
前記少なくとも２つの酸素分離装置の前記第２の端の各々を互いに流体的に連結させるパージダクトを更に含み、
該パージダクトは、前記少なくとも２つの酸素分離装置のうちの１つの酸素分離装置の第２の端への酸素に富んだガスのパージ流量を制御するように構成されるパージ流量コントローラを含む、
請求項１に記載の酸素分離器。
【請求項１０】
請求項１に記載の酸素分離器を含む、酸素濃縮器。
【請求項１１】
酸素を含むガスから酸素を分離する方法であって、
酸素に富んだガスを生成する酸素分離器を作動させるステップであって、該酸素分離器は、酸素を含むガスから酸素を分離する少なくとも２つの酸素分離装置を含み、該少なくとも２つの酸素分離装置は、それぞれ、前記酸素を含むガスを受け取る第１の端と、前記酸素に富んだガスを給送する第２の端とを含む、ステップと、
等化ダクト内に酸素に富んだガスの等化流量を生成することによって前記酸素分離器を等化するステップであって、前記等化ダクトは、前記少なくとも２つの酸素分離装置の内圧を平衡させるために、前記少なくとも２つの酸素分離装置の前記第２の端の各々を互いに流体的に連結させる、ステップと、
前記等化ダクト内に設けられる第１のガスセンサを用いて、前記等化ダクト内に前記酸素に富んだガスの少なくとも１つの成分の濃度を監視するステップと、
制御装置を介して、前記第１のガスセンサによる決定に基づき、前記酸素分離器を制御するステップとを含む、
方法。
【請求項１２】
第２のガスセンサを用いて排気ダクト内のガスの少なくとも１つの成分を監視するステップを更に含み、
前記酸素分離器を制御するステップは、前記第２のガスセンサによる前記監視に更に基づく、
請求項１１に記載の方法。
【請求項１３】
前記酸素分離器を制御するステップは、前記酸素に富んだガスの濃度及び／又は組成に対する影響を有する前記酸素分離器の少なくとも１つのパラメータを制御することを含み、該少なくとも１つのパラメータは、分離期間、流量、圧力、使用中の少なくとも２つの分離装置の１つの選択、のうちの１つ又はそれよりも多くを含む、請求項１１に記載の方法。
【請求項１４】
酸素に富んだガスの流れを生成する酸素分離器であって、
酸素を含むガスから酸素を分離するように構成される、少なくとも２つの酸素分離装置であって、各酸素分離装置が、供給操作中に前記酸素を含むガスを受け取る第１の端と、酸素に富んだガスを給送する第２の端とを含む、少なくとも２つの酸素分離装置と、
該少なくとも２つの酸素分離装置の前記第２の端の各々を互いに流体的に連結させる等化ダクトであって、等化操作中に前記少なくとも２つの酸素分離装置の内圧を平衡させるように構成される等化ダクトと、
前記少なくとも２つの酸素分離装置の前記第２の端の各々を互いに流体的に連結させるパージダクトであって、パージ操作中に前記酸素に富んだガスの流れのパージ流を前記少なくとも２つの酸素分離装置のうちの１つの酸素分離装置の前記第２の端に案内するように構成されるパージダクトと、
前記等化ダクト内に配置される１つ又はそれよりも多くのセンサであって、前記等化ダクト内の前記酸素の富んだガスの１つ又はそれよりも多くの成分の濃度を監視するように構成される１つ又はそれよりも多くのセンサと、
１つ又はそれよりも多くのプロセッサとを含み、
該１つ又はそれよりも多くのプロセッサは、機械可読指令によって、
前記供給操作及び前記パージ操作を前記等化操作とインターリーブさせ、
前記１つ又はそれよりも多くのセンサを介して、前記等化操作中に前記酸素に富んだガスの前記１つ又はそれよりも多くの成分の前記濃度を決定し、
該決定する濃度に基づいて当該酸素分離器の１つ又はそれよりも多くの動作パラメータを調整する、ように構成され、
該１つ又はそれよりも多くの動作パラメータは、分離期間、酸素を含むガスの流量及び／又は圧力、酸素に富んだガスの流量及び／又は圧力、又は使用中の前記少なくとも２つの分離装置の１つの選択、のうちの１つ又はそれよりも多くを含む、
酸素分離器。
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
システムであって、
プロセッサと、
複数のクライアント論理装置とのユーザインタラクションに関連する匿名情報を含む複数のソースデータ記録を受け取るように構成された受信機と、
前記ソースデータを、タイムライン期間にわたる連続タイムラインに相関付けるように構成された前記プロセッサと、
前記複数のソースデータ記録の各々についての複数の行動マーカを決定するように構成された前記プロセッサと、
前記複数の行動マーカの集約に基づいて少なくとも１つの行動フィンガープリントを生成するように構成された前記プロセッサと、
前記少なくとも１つの行動フィンガープリントを、前記複数のクライアント論理装置の少なくとも１つに関連付けるように構成された前記プロセッサと、
備えた、
ことを特徴とするシステム。
【請求項２】
前記少なくとも１つの行動フィンガープリントは、複数の行動マーカを含む、
請求項１に記載のシステム。
【請求項３】
前記ユーザインタラクションは、テレビの視聴、ダウンロード、インターネット活動、ソーシャルネットワーク活動、電子番組ガイド活動、パーソナルビデオレコーダ活動、及び購入活動のうちの少なくとも１つを含む、
請求項１に記載のシステム。
【請求項４】
前記プロセッサは、前記複数の行動マーカの少なくとも一部を分析してその有効性を決定するように構成されている、
請求項１に記載のシステム。
【請求項５】
前記有効性は、一意の記録を識別する際の有効性を含む、
請求項４に記載のシステム。
【請求項６】
前記有効性は、一意の記録を識別する際の行動マーカの組み合わせの有効性を含む、
請求項４に記載のシステム。
【請求項７】
前記受信機は、少なくとも１つの外部行動フィンガープリントを受け取るように構成されている、
請求項１に記載のシステム。
【請求項８】
前記プロセッサは、前記少なくとも１つの外部行動フィンガープリントを用いて前記複数のデータソース記録の少なくとも一部を分析することによって一意の記録を識別するように構成されている、
請求項７に記載のシステム。
【請求項９】
方法であって、
複数のクライアント論理装置とのユーザインタラクションに関連する匿名情報を含む複数のソースデータ記録を受け取るステップと、
前記ソースデータを、タイムライン期間にわたる連続タイムラインに相関付けるステップと、
前記複数のソースデータ記録の各々についての複数の行動マーカを決定するステップと、
前記複数の行動マーカの集約に基づいて少なくとも１つの行動フィンガープリントを生成するステップと、
前記少なくとも１つの行動フィンガープリントを、前記複数のクライアント論理装置の少なくとも１つに関連付けるステップと、
を含むことを特徴とする方法。
【請求項１０】
前記少なくとも１つの行動フィンガープリントは、複数の行動マーカを含む、
請求項９に記載の方法。
【請求項１１】
前記ユーザインタラクションは、テレビの視聴、ダウンロード、インターネット活動、ソーシャルネットワーク活動、電子番組ガイド活動、パーソナルビデオレコーダ活動、及び購入活動のうちの少なくとも１つを含む、
請求項９に記載の方法。
【請求項１２】
前記複数の行動マーカの少なくとも一部を分析してその有効性を決定するステップをさらに含む、
請求項９に記載の方法。
【請求項１３】
前記有効性は、一意の記録を識別する際の有効性を含む、
請求項１２に記載の方法。
【請求項１４】
前記有効性は、一意の記録を識別する際の行動マーカの組み合わせの有効性を含む、
請求項１２に記載の方法。
【請求項１５】
少なくとも１つの外部行動フィンガープリントを受け取るステップをさらに含む、
請求項９に記載の方法。
【請求項１６】
前記少なくとも１つの外部行動フィンガープリントを用いて前記複数のデータソース記録の少なくとも一部を分析することによって一意の記録を識別するステップをさらに含む、
請求項１５に記載の方法。
【請求項１７】
コンピュータ可読命令を記憶するコンピュータ可読記憶媒体であって、前記コンピュータ可読命令は、コンピュータ装置のプロセッサによって実行されたときに、前記コンピュータ装置に
複数のクライアント論理装置とのユーザインタラクションに関連する匿名情報を含む複数のソースデータ記録を受け取り、
前記ソースデータを、タイムライン期間にわたる連続タイムラインに相関付け、
前記複数のソースデータ記録の各々についての複数の行動マーカを決定し、
前記複数の行動マーカの集約に基づいて少なくとも１つの行動フィンガープリントを生成し、
前記少なくとも１つの行動フィンガープリントを、前記複数のクライアント論理装置の少なくとも１つに関連付ける、
動作を実行させることを特徴とするコンピュータ可読記憶媒体。
【請求項１８】
前記コンピュータ装置に、前記複数の行動マーカの少なくとも一部を分析してその有効性を決定させる前記コンピュータ可読命令をさらに含む、
請求項１７に記載のコンピュータ可読記憶媒体。
【請求項１９】
前記コンピュータ装置に、少なくとも１つの外部行動フィンガープリントを受け取らせる前記コンピュータ可読命令をさらに含む、
請求項１７に記載のコンピュータ可読記憶媒体。
【請求項２０】
前記コンピュータ装置に、前記少なくとも１つの外部行動フィンガープリントを用いて前記複数のデータソース記録の少なくとも一部を分析することによって一意の記録を識別させる前記コンピュータ可読命令をさらに含む、
請求項１７に記載のコンピュータ可読記憶媒体。
【請求項２１】
コンピュータプログラムであって、
複数のクライアント論理装置とのユーザインタラクションに関連する匿名情報を含む複数のソースデータ記録を受け取るステップと、
前記ソースデータを、タイムライン期間にわたる連続タイムラインに相関付けるステップと、
前記複数のソースデータ記録の各々についての複数の行動マーカを決定するステップと、
前記複数の行動マーカの集約に基づいて少なくとも１つの行動フィンガープリントを生成するステップと、
前記少なくとも１つの行動フィンガープリントを、前記複数のクライアント論理装置の少なくとも１つに関連付けるステップと、
をコンピュータに実行させる、コンピュータプログラム。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
読取り専用メモリ中の命令シーケンスを修正するための方法であって、
プロセッサに結合されたアドレス可能なメモリロケーションのセットを与えるステップと、
前記プロセッサにさらに結合されたワンタイムプログラム可能ヒューズのセットを与えるステップと、
前記プロセッサに結合された読取り専用メモリ中の命令シーケンスを与えるステップと、
前記アドレス可能なメモリロケーションセットの中の識別されたロケーションに動的に向かい、前記読取り専用メモリ中の前記命令シーケンスに戻る、前記読取り専用メモリ中のパッチプロセスを有効にするステップであって、前記命令シーケンスを修正することが所望されるとき、前記ワンタイムプログラム可能ヒューズのセットの中の情報が、前記プロセッサに、パッチインスタンスからの少なくとも1つの命令を実行するよう指示する、ステップと、
前記読取り専用メモリ中の前記命令シーケンス中の所望のロケーションに、少なくとも1つのパッチインジケータを挿入するステップであって、前記少なくとも1つのパッチインジケータによって定義される、前記アドレス可能なメモリロケーションセットの中の少なくとも1つのパッチインスタンスは、前記読取り専用メモリ中の前記命令シーケンスに対する修正が識別される前は空の内容を含み、前記読み取り専用メモリ内の前記命令シーケンスに対する修正の後に、前記少なくとも1つのパッチインスタンスが、命令タイプおよびパッチアドレスを少なくとも含み、前記パッチインスタンスは、マスク情報を含み、Nビットの2つ以下のワードで定義され、Nは整数である、ステップと
を含む方法。
【請求項２】
前記所望のロケーションは、ファームウェアにおいて前記命令シーケンスが実施された後で修正が起こりそうな前記命令シーケンス中の場所を定義する、請求項1に記載の方法。
【請求項３】
前記命令タイプはコードによって定義される、請求項1に記載の方法。
【請求項４】
前記読取り専用メモリ中の前記パッチプロセスを有効にするステップは、前記少なくとも1つのパッチインジケータについてのみ置換え内容を与えるステップを含む、請求項1に記載の方法。
【請求項５】
前記読取り専用メモリ中の前記パッチプロセスを有効にするステップは、前記命令シーケンスがファームウェアで具現化された後で所望の変更を統合するパッチプロセス論理を実行するステップを含む、請求項4に記載の方法。
【請求項６】
前記パッチプロセス論理は、プロセッサに、
前記命令シーケンス以外のソースからアドレスを取り出し、
パッチデータが、前記アドレスにおいて利用可能であるかどうかを判断し、
前記パッチデータが前記アドレスにおいて利用可能でない場合、前記命令シーケンス中の次のシーケンス命令に戻り、
前記パッチデータが前記アドレスにおいて利用可能である場合、前記パッチデータ中の少なくとも1つの命令を実行し、前記命令シーケンス中の前記次のシーケンス命令を戻る
よう指示する、請求項5に記載の方法。
【請求項７】
前記プロセッサは、前記ワンタイムプログラム可能ヒューズのセットにアクセスし、前記パッチインスタンスが記憶されている前記アドレス可能なロケーションを認証し定義することによって、前記命令シーケンス以外の前記ソースから前記アドレスを取り出すよう指示される、請求項6に記載の方法。
【請求項８】
読取り専用メモリに記憶される命令シーケンスを修正するためのシステムであって、
プロセッサに結合されたアドレス可能なメモリロケーションのセットを与えるための手段と、
前記プロセッサにさらに結合されたワンタイムプログラム可能ヒューズのセットを与えるための手段と、
前記プロセッサに結合された読取り専用メモリ中の命令シーケンスを与えるための手段と、
前記アドレス可能なメモリロケーションセットの中の識別されたロケーションに動的に向かい、前記読取り専用メモリ中の前記命令シーケンスに戻る、前記読取り専用メモリ中のパッチプロセスを有効にするための手段であって、前記命令シーケンスを修正することが所望されるとき、前記ワンタイムプログラム可能ヒューズのセットの中の情報が、前記プロセッサに、パッチインスタンスからの少なくとも1つの命令を実行するよう指示する、手段と、
前記読取り専用メモリ中の前記命令シーケンス中の所望のロケーションに、少なくとも1つのパッチインジケータを挿入するための手段であって、前記少なくとも1つのパッチインジケータによって定義される、前記アドレス可能なメモリロケーションセットの中の少なくとも1つのパッチインスタンスは、前記読取り専用メモリ中の前記命令シーケンスに対する修正が識別される前は空の内容を含み、前記読み取り専用メモリ内の前記命令シーケンスに対する修正の後に、前記少なくとも1つのパッチインスタンスが、命令タイプおよびパッチアドレスを少なくとも含み、前記パッチインスタンスは、マスク情報を含み、Nビットの2つ以下のワードで定義され、Nは整数である、手段と
を含むシステム。
【請求項９】
前記所望のロケーションは、ファームウェアにおいて前記命令シーケンスが実施された後で修正が起こりそうな前記命令シーケンス中の場所を定義する、請求項8に記載のシステム。
【請求項１０】
前記命令タイプはコードによって定義される、請求項8に記載のシステム。
【請求項１１】
前記読取り専用メモリ中の前記パッチプロセスを有効にすることが、前記少なくとも1つのパッチインジケータについてのみ置換え内容を与えることを含む、請求項8に記載のシステム。
【請求項１２】
前記読取り専用メモリ中の前記パッチプロセスを有効にすることが、前記命令シーケンスがファームウェアで具現化された後で所望の変更を統合するパッチプロセス論理を実行することを含む、請求項11に記載のシステム。
【請求項１３】
前記パッチプロセス論理は、プロセッサに、
前記命令シーケンス以外のソースからアドレスを取り出し、
パッチデータが、前記アドレスにおいて利用可能であるかどうかを判断し、
前記パッチデータが前記アドレスにおいて利用可能でない場合、前記命令シーケンス中の次のシーケンス命令に戻り、
前記パッチデータが前記アドレスにおいて利用可能である場合、前記パッチデータ中の少なくとも1つの命令を実行し、前記命令シーケンス中の前記次のシーケンス命令を戻る
よう指示する、請求項12に記載のシステム。
【請求項１４】
前記プロセッサは、前記ワンタイムプログラム可能ヒューズのセットにアクセスし、前記パッチインスタンスが記憶されている前記アドレス可能なロケーションを認証し定義することにより、前記命令シーケンス以外の前記ソースから前記アドレスを取り出すよう指示される、請求項13に記載のシステム。
【請求項１５】
コンピュータ上での実行時に、請求項1から7のいずれか一項に記載の方法を実行するためのコンピュータ実行可能命令を含む、コンピュータプログラム。
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
ヘテロジニアスコンピューティング環境におけるトランザクションシステムをサポートするためのシステムであって、
１つ以上のマイクロプロセッサと、
前記トランザクションシステムにおける１つ以上のレコードバッファとを備え、前記１つ以上のレコードバッファは、前記ヘテロジニアスコンピューティング環境におけるメインフレームコンピューティング環境における１つ以上のデータ構造を表現するように動作し、前記システムはさらに、
前記１つ以上のマイクロプロセッサ上で動作するトランザクションアダプタを備え、前記トランザクションアダプタは、前記メインフレームコンピューティング環境における前記１つ以上のデータ構造と、前記トランザクションシステムにおける前記１つ以上のレコードバッファとの間で、１つ以上のデータ要素を変換するように動作する、システム。
【請求項２】
前記１つ以上のデータ構造は、前記メインフレームコンピューティング環境におけるコピーブック内に定義されている、請求項１に記載のシステム。
【請求項３】
前記トランザクションアダプタは、ツリー構造を用いて前記メインフレームコンピューティング環境における前記１つ以上のデータ構造を表現するように動作する、請求項１または２に記載のシステム。
【請求項４】
前記トランザクションアダプタは、シリアライズされたツリーを用いてオブジェクトファイルまたはメモリ内に前記ツリー構造を維持するように動作する、請求項３に記載のシステム。
【請求項５】
前記１つ以上のレコードバッファ内に記憶された前記１つ以上のデータ要素を維持するように動作するレコードキャッシュをさらに備える、請求項１〜４のいずれか１項に記載のシステム。
【請求項６】
前記トランザクションシステムは、１つ以上のレコード機能を用いて、前記１つ以上のレコードバッファ内に記憶された前記１つ以上のデータ要素を処理するように動作する、請求項１〜５のいずれか１項に記載のシステム。
【請求項７】
前記トランザクションアダプタは、前記メインフレームコンピューティング環境における前記１つ以上のデータ構造に基づいて記述ファイルを作成するように動作する、請求項１〜６のいずれか１項に記載のシステム。
【請求項８】
前記トランザクションアダプタは、バイナリフォーマットのオブジェクトファイルを前記記述ファイルから生成するように動作する、請求項７に記載のシステム。
【請求項９】
前記トランザクションシステムは、１つ以上のトランザクションデータタイプに基づく１つ以上のトランザクションバッファを用いるように動作する、請求項１〜８のいずれか１項に記載のシステム。
【請求項１０】
前記トランザクションシステムは、前記１つ以上のレコードバッファと前記１つ以上のトランザクションバッファとの間で前記１つ以上のデータ要素を変換するように動作する、請求項９に記載のシステム。
【請求項１１】
ヘテロジニアスコンピューティング環境におけるトランザクションシステムをサポートするための方法であって、
前記トランザクションシステムにおいて１つ以上のレコードバッファを提供するステップと、
前記ヘテロジニアスコンピューティング環境において、前記１つ以上のレコードバッファを用いて１つ以上のデータ構造を表現するステップと、
トランザクションアダプタを介して、メインフレームコンピューティング環境における前記１つ以上のデータ構造と、前記トランザクションシステムにおける前記１つ以上のレコードバッファとの間で、１つ以上のデータ要素を変換するステップとを備える、方法。
【請求項１２】
実行されると、以下のステップをシステムに行なわせる命令を含むコンピュータプログラムであって、前記以下のステップは、
トランザクションシステムにおいて１つ以上のレコードバッファを提供するステップと、
ヘテロジニアスコンピューティング環境において、前記１つ以上のレコードバッファを用いて１つ以上のデータ構造を表現するステップと、
トランザクションアダプタを介して、メインフレームコンピューティング環境における前記１つ以上のデータ構造と、前記トランザクションシステムにおける前記１つ以上のレコードバッファとの間で、１つ以上のデータ要素を変換するステップとを備える、コンピュータプログラム。
【手続補正書】
【提出日】平成29年12月15日(2017.12.15)
【手続補正１】
【補正対象書類名】明細書
【補正対象項目名】００７１
【補正方法】変更
【補正の内容】
【００７１】
図面内の要素に関する記載は、別途記載のない限り、他の図面内の対応する要素に対して等しく適用されることが理解されるべきである。上記に述べた特定の実施形態は、本発明の異なる態様の説明に供されるよう詳細に述べたものであり、本発明はかかる実施形態に限定されるものとみなされるべきではない。したがって、本発明は、添付の請求項及びその均等物により定義される発明の範囲内の各種変形例、同等な処理、及び代替装置のような発明の全態様を網羅するものと解されるべきである。本発明の実施態様の一部を以下の項目［１］−［１０］に記載する。
［項目１］
光学フィルムであって、
コリメート反射偏光子と、
前記コリメート反射偏光子の主面に配置されるマイクロ凹レンズアレイと、
を有する、光学フィルム。
［項目２］
光学フィルムであって、
第１及び第２主面を有する光学基材と、
前記光学基材の前記第１主面上に配置されるコリメート反射偏光子と、
前記光学基材の前記第２主面上に配置されるマイクロ凹レンズアレイとを有する、光学フィルム。
［項目３］
前記コリメート反射偏光子は、垂直入射に対応する透過軸に沿ったｐ偏光された光の透過率をＴｐａｓｓｎｏｒｍａｌとし、６０度入射に対応する透過軸に沿ったｐ偏光された光の透過率をＴｐａｓｓ６０として、Ｔｐａｓｓｎｏｒｍａｌに対するＴｐａｓｓ６０の比が０．７５未満である、項目１又は２に記載の光学フィルム。
［項目４］
前記マイクロ凹レンズアレイ内の各マイクロレンズのアスペクト比が約０．５である、項目１又は２に記載の光学フィルム。
［項目５］
前記マイクロ凹レンズアレイ内の各マイクロレンズのアスペクト比が約０．５未満である、項目１又は２に記載の光学フィルム。
［項目６］
前記マイクロ凹レンズアレイ上に配置されていない、前記コリメート反射偏光子の表面上に配置された微細要素をさらに有する、項目１に記載の光学フィルム。
［項目７］
前記光学基材上に配置されていない、前記コリメート反射偏光子の表面上に配置された微細要素をさらに有する、項目２に記載の光学フィルム。
［項目８］
前記微細要素は、ビーズを含む、項目６又は７に記載の光学フィルム。
［項目９］
エッジ型バックライトアセンブリであって、
項目１又は２に記載の光学フィルムと、
ライトガイドとを有し、
前記ライトガイドが前記マイクロ凹レンズアレイに近接配置される、エッジ型バックライトアセンブリ。
［項目１０］
直下型バックライトアセンブリであって、
項目１又は２に記載の光学フィルムと、
１つ以上の光源とを有し、
前記１つ以上の光源が前記マイクロ凹レンズアレイに近接配置される
直下型バックライトアセンブリ。
【手続補正２】
【補正対象書類名】特許請求の範囲
【補正対象項目名】全文
【補正方法】変更
【補正の内容】
【特許請求の範囲】
【請求項１】
光学フィルムであって、
コリメート反射偏光子と、
前記コリメート反射偏光子の主面に配置されるマイクロ凹レンズアレイと、
を有する、光学フィルム。
【請求項２】
光学フィルムであって、
第１及び第２主面を有する光学基材と、
前記光学基材の前記第１主面上に配置されるコリメート反射偏光子と、
前記光学基材の前記第２主面上に配置されるマイクロ凹レンズアレイとを有する、光学フィルム。
【請求項３】
前記コリメート反射偏光子は、垂直入射に対応する透過軸に沿ったｐ偏光された光の透過率をＴｐａｓｓｎｏｒｍａｌとし、６０度入射に対応する透過軸に沿ったｐ偏光された光の透過率をＴｐａｓｓ６０として、Ｔｐａｓｓｎｏｒｍａｌに対するＴｐａｓｓ６０の比が０．７５未満である、請求項１又は２に記載の光学フィルム。
【請求項４】
前記マイクロ凹レンズアレイ内の各マイクロレンズのアスペクト比が約０．５である、請求項１又は２に記載の光学フィルム。
【請求項５】
前記マイクロ凹レンズアレイ内の各マイクロレンズのアスペクト比が約０．５未満である、請求項１又は２に記載の光学フィルム。
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
アクション可能な注釈を提供するシステムであって、
臨床データを含む１つ又は複数の臨床文書を格納する臨床データベースと、
臨床データを検出するため、前記臨床文書を処理する自然言語処理エンジンと、
前記臨床データから臨床コンテキスト情報を生成するコンテキスト抽出及び分類エンジンと、
前記臨床コンテキスト情報に基づき、推奨されたアクション可能な注釈のリストを生成する注釈推奨エンジンと、
前記選択可能な推奨された注釈のリストを表示するユーザインタフェースを生成する臨床インタフェースエンジンとを有する、システム。
【請求項２】
前記コンテキスト抽出及び分類エンジンが、前記ユーザに表示される画像に基づき、臨床コンテキスト情報を生成する、請求項１に記載のシステム。
【請求項３】
関連するメタデータと共に患者に関するすべての注釈を追跡する注釈トラッカを更に含む、請求項１又は２に記載のシステム。
【請求項４】
ユーザインタフェースが、注釈のさまざまな組み合わせを前記ユーザが選択することを可能にするメニューベースのインタフェースを含む、請求項１乃至３のいずれか一項に記載されるシステム。
【請求項５】
前記アクション可能な注釈は、そのコンテンツが構造化される、又は基本のマッピング方法を用いて容易に構造化される点において、及び前記構造が所定の意味論的な注釈である点において、アクション可能である、請求項１乃至４のいずれか一項に記載されるシステム。
【請求項６】
ユーザインタフェースが、前記選択された注釈を放射線学レポートに前記ユーザが挿入することを可能にする、請求項１乃至５の任意の一項に記載のシステム。
【請求項７】
推奨されるアクション可能な注釈を提供する方法において、
臨床データを含む１つ又は複数の臨床文書を格納するステップと、
臨床データを検出するため、前記臨床文書を処理するステップと、
前記臨床データから臨床コンテキスト情報を生成するステップと、
前記臨床コンテキスト情報に基づき、推奨されたアクション可能な注釈のリストを生成するステップと、
前記選択可能な推奨された注釈のリストを表示するユーザインタフェースを生成するステップとを有する、方法。
【請求項８】
前記ユーザに表示される画像に基づき、臨床コンテキスト情報を生成するステップを更に含む、請求項７に記載の方法。
【請求項９】
関連するメタデータと共に、患者に関するすべての注釈を追跡するステップを更に含む、請求項７又は８に記載の方法。
【請求項１０】
ユーザインタフェースは、注釈のさまざまな組み合わせを前記ユーザが選択することを可能にするメニューベースのインタフェースを含む、請求項７乃至９のいずれか一項に記載される方法。
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
イベントを生成するための方法であって、
第１のニューラルネットワークとは無関係に動作する第２のニューラルネットワークで、前記第１のニューラルネットワークを、前記第１のニューラルネットワークが利用可能なリソースの量によって前記第２のニューラルネットワークの動作が制限されないように、監視することであって、前記第２のニューラルネットワークにおいて、前記第１のニューラルネットワークから伝搬された情報を介して、ターゲットネットワークの前記状態の少なくともサブセットの活性を監視することを含む、監視することと、
前記第２のニューラルネットワークにおいて、前記監視している間に前記第１のニューラルネットワークから受信されたスパイクに少なくとも部分的に基づいて、前記イベントを生成することと、
前記イベントに応答して、前記第２のニューラルネットワークの少なくとも一部の動作が終了された後に、デバッギング動作を実行することと、
を備える、方法。
【請求項２】
前記第１のニューラルネットワークが、前記第２のニューラルネットワークと同じニューロンタイプを有する、請求項１に記載の方法。
【請求項３】
前記第１のニューラルネットワークが、前記第２のニューラルネットワークと同じトポロジを有する、請求項１に記載の方法。
【請求項４】
前記イベントが例外である、請求項１に記載の方法。
【請求項５】
前記例外がデバッギングのためのブレークポイントである、請求項４に記載の方法。
【請求項６】
前記イベントがメッセージをトリガする、請求項１に記載の方法。
【請求項７】
前記メッセージが、前記第１のニューラルネットワークに関連付けられるネットワーク、システム、および／またはハードウェアの動作に影響を与え、前記ネットワーク、前記システム、および前記ハードウェアが前記第１のニューラルネットワークとは異なる、請求項６に記載の方法。
【請求項８】
前記イベントに少なくとも部分的に基づいて、前記第２のニューラルネットワークを再構成することをさらに備える、請求項１に記載の方法。
【請求項９】
再構成することが、前記第２のニューラルネットワークのサイズを調整すること、パラメータを再構成すること、および／またはしきい値を調整することの１つまたは複数を備える、請求項８に記載の方法。
【請求項１０】
前記第２のニューラルネットワークが、前記第１のニューラルネットワークの状態のサブセットに少なくとも部分的に基づいて、前記イベントを生成するようにさらに構成される、請求項１に記載の方法。
【請求項１１】
前記第２のニューラルネットワークの第２の状態が、前記第１のニューラルネットワークの第１の状態を追跡する、請求項１０に記載の方法。
【請求項１２】
前記第１のニューラルネットワークの第１のニューロンが、前記第１の状態に少なくとも部分的に基づいて動作し、前記第１のニューロンが第１のしきい値を有し、
前記第２のニューラルネットワークの第２のニューロンが、前記第２の状態に少なくとも部分的に基づいて動作し、前記第２のニューロンが第２のしきい値を有する、請求項１１に記載の方法。
【請求項１３】
前記第２のネットワークが、ユーザ入力、前記第２のネットワークによって実行される監視、またはそれらの組合せの１つあるいは複数に少なくとも部分的に基づいてトレーニング可能である、請求項１に記載の方法。
【請求項１４】
イベントを生成するための装置であって、
第１のニューラルネットワークとは無関係に動作する第２のニューラルネットワークで、前記第１のニューラルネットワークを、前記第１のニューラルネットワークが利用可能なリソースの量によって前記第２のニューラルネットワークの動作が制限されないように、監視するための手段であって、前記第２のニューラルネットワークにおいて、前記第１のニューラルネットワークから伝搬された情報を介して、ターゲットネットワークの前記状態の少なくともサブセットの活性を監視することを含む、監視するための手段と、
前記第２のニューラルネットワークにおいて、前記監視している間に前記第１のニューラルネットワークから受信されたスパイクに少なくとも部分的に基づいて、前記イベントを生成するための手段と、
前記イベントに応答して、前記第２のニューラルネットワークの少なくとも一部の動作が終了された後に、デバッギング動作を実行することと、
を備える、装置。
【請求項１５】
イベントを生成するためのプログラムコードを記録した非一時的コンピュータ可読媒体であって、前記プログラムコードが、方法の請求項１〜１３の任意のステップを実行するためのプログラムコードを備える、非一時的コンピュータ可読媒体。
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
光学有効面を有する、特にマイクロリソグラフィ投影露光装置のミラーであって、
該ミラーは、所定の使用波長を有し且つ各表面法線に対して６５°以上の入射角で前記光学有効面に入射する電磁放射線に関して、少なくとも０．５の反射率を有し、
該ミラーは、第２周期元素及び４ｄ遷移族元素の化合物を含む少なくとも１つの層（１６０、１７０、３２０）を有し、
該ミラーは、前記光学有効面の方向で最上部に配置された保護層（４３０、５３０、６３０、７３０）を有し、
前記光学有効面の方向で前記保護層の下にそれぞれ配置された層（４２０、５１０、６２０、７０５）の材料が、前記保護層（４３０、５３０、６３０、７３０）の材料よりも低吸収であり、
前記保護層（４３０、５３０、６３０、７３０）は５ｎｍ以下の厚さを有するミラー。
【請求項２】
請求項１に記載のミラーにおいて、前記４ｄ遷移族元素は、モリブデン（Ｍｏ）、ニオブ（Ｎｂ）、及びジルコニウム（Ｚｒ）からなる群から選択されることを特徴とするミラー。
【請求項３】
請求項１又は２に記載のミラーにおいて、前記第２周期元素は、ベリリウム（Ｂｅ）、ホウ素（Ｂ）、炭素（Ｃ）、窒素（Ｎ）、及び酸素（Ｏ）からなる群から選択されることを特徴とするミラー。
【請求項４】
請求項１〜３のいずれか１項に記載のミラーにおいて、該ミラーは、前記層（１６０）及び基板（１５０）のみを有することを特徴とするミラー。
【請求項５】
請求項１〜３のいずれか１項に記載のミラーにおいて、前記層は、ルテニウム（Ｒｕ）から構成される第１層（３１０）の上に第２層（３２０）として配置されることを特徴とするミラー。
【請求項６】
光学有効面を有する、特にマイクロリソグラフィ投影露光装置のミラーであって、
所定の使用波長を有し且つ各表面法線に対して６５°以上の入射角で前記光学有効面に入射する電磁放射線に関して、少なくとも０．５の反射率を有し、且つ
ルテニウム（Ｒｕ）、ロジウム（Ｒｈ）、又はパラジウム（Ｐｄ）を含む第１材料から構成される第１層（２１０、３１０、４１０、５１０、６０５）と、前記光学有効面の方向で前記第１層（２１０、３１０、４１０、５１０、６０５）の上に配置され且つ前記第１材料と比べて低吸収の第２材料から構成される第２層（２２０、３２０、４２０、６２０）とを有するミラー。
【請求項７】
請求項６に記載のミラーにおいて、前記第２層（２２０、６２０）の材料は、モリブデン（Ｍｏ）又は第２周期元素及び４ｄ遷移族元素の化合物を含むことを特徴とするミラー。
【請求項８】
請求項７に記載のミラーにおいて、前記４ｄ遷移族元素は、モリブデン（Ｍｏ）、ニオブ（Ｎｂ）、及びジルコニウム（Ｚｒ）からなる群から選択されることを特徴とするミラー。
【請求項９】
請求項７又は８に記載のミラーにおいて、前記第２周期元素は、ベリリウム（Ｂｅ）、ホウ素（Ｂ）、炭素（Ｃ）、窒素（Ｎ）、及び酸素（Ｏ）からなる群から選択されることを特徴とするミラー。
【請求項１０】
請求項６〜９のいずれか１項に記載のミラーにおいて、該ミラーは、前記光学有効面の方向で最上部に配置された保護層（４３０、５３０、６３０、７３０）を有することを特徴とするミラー。
【請求項１１】
請求項１０に記載のミラーにおいて、前記光学有効面の方向で前記保護層の下にそれぞれ配置された層（４２０、５１０、６２０、７０５）の材料が、前記保護層（４３０、５３０、６３０、７３０）の材料よりも低吸収であることを特徴とするミラー。
【請求項１２】
請求項１〜５、１０、又は１１のいずれか１項に記載のミラーにおいて、前記保護層（４３０、５３０、６３０、７３０）は、窒化ケイ素（Ｓｉ３Ｎ４）、炭化ケイ素（ＳｉＣ）、又は３ｄ遷移族元素、４ｄ遷移族元素、若しくはランタニドを含む化合物を含むことを特徴とするミラー。
【請求項１３】
請求項１０または１１に記載のミラーにおいて、前記保護層（４３０、５３０、６３０、７３０）は５ｎｍ以下の厚さを有することを特徴とするミラー。
【請求項１４】
請求項６〜９のいずれか１項及び請求項１０〜１３のいずれか１項に記載のミラーにおいて、前記第２層及び前記保護層それぞれの厚さプロファイルは、同一の構成の前記第１層のみを有して前記第２層及び前記保護層を有しないミラーとの該ミラーの入射角に対する反射率の依存に関する差が、２％以下、特に１％以下、より詳細には０．５％以下であるようなものであることを特徴とするミラー。
【請求項１５】
請求項６〜９のいずれか１項及び請求項１０〜１４のいずれか１項に記載のミラーにおいて、前記保護層がもたらす反射率の低下が、前記第２層により少なくとも部分的に補償されることを特徴とするミラー。
【請求項１６】
請求項１〜５又は請求項１０〜１５のいずれか１項に記載のミラーにおいて、前記保護層（７３０）は基板（７０５）の直上に配置されることを特徴とするミラー。
【請求項１７】
請求項１〜１６のいずれか１項に記載のミラーにおいて、該ミラーは少なくとも１つのバリア層を有することを特徴とするミラー。
【請求項１８】
光学面を有する、特にマイクロリソグラフィ投影露光装置のミラーであって、
所定の使用波長を有し且つ各表面法線に対して６５°以上の入射角で光学有効面に入射する電磁放射線に関して、少なくとも０．５の反射率を有し、
第２周期元素及び４ｄ遷移族元素の化合物を含む少なくとも１つの層（１６０、１７０、３２０）を有し、且つ
前記層（１７０）のみ又は前記（１６０）層及び基板（１５０）のみを有するミラー。
【請求項１９】
請求項１８に記載のミラーにおいて、前記４ｄ遷移族元素は、モリブデン（Ｍｏ）、ニオブ（Ｎｂ）、及びジルコニウム（Ｚｒ）からなる群から選択されることを特徴とするミラー。
【請求項２０】
請求項１８又は１９に記載のミラーにおいて、前記第２周期元素は、ベリリウム（Ｂｅ）、ホウ素（Ｂ）、炭素（Ｃ）、窒素（Ｎ）、及び酸素（Ｏ）からなる群から選択されることを特徴とするミラー。
【請求項２１】
請求項１〜２０のいずれか１項に記載のミラーにおいて、前記使用波長は３０ｎｍ未満であり、特に１０ｎｍ〜１５ｎｍの範囲にあることを特徴とするミラー。
【請求項２２】
請求項１〜２１のいずれか１項に記載のミラーを少なくとも１つ有することを特徴とする、マイクロリソグラフィ投影露光装置の光学系。
【請求項２３】
照明デバイス及び投影レンズを有するマイクロリソグラフィ投影露光装置であって、前記照明デバイスは、該投影露光装置の動作時に前記投影レンズの物体平面にあるマスクを照明し、前記投影レンズは、前記マスクを前記投影レンズの像平面にある感光層に投影し、該投影露光装置は、請求項１〜２１のいずれか１項に記載のミラーを少なくとも１つ有するマイクロリソグラフィ投影露光装置。